(57)【要約】【課題】  接続された外部機器から送信された映像コンテンツ等を受信し、電子機器に表示出力可能なシステムにおいて、ユーザ操作の煩雑さを低減することが課題になっていた。【解決手段】  実施形態の電子機器は、接続された外部機器から出力された前記外部機器の識別情報を用い、予め記憶されている、過去に接続された外部機器の識別情報と比較し、前記接続された外部機器を特定する特定部を備える。  また、前記特定された外部機器の映像または音声の設定情報を、過去に接続された外部機器の設定情報が記憶されている設定記憶部から取得し、自機器に適用する適用部を備える。【選択図】  図１
2014007615.tif 000002
【特許請求の範囲】
【請求項１】
接続された外部機器から出力された前記外部機器の識別情報を用い、予め記憶されている、過去に接続された外部機器の識別情報と比較し、前記接続された外部機器を特定する特定部と、
前記特定された外部機器の映像または音声の設定情報を、過去に接続された外部機器の設定情報が記憶されている設定記憶部から取得し、自機器に適用する適用部を備える電子機器。
【請求項２】
前記識別情報の出力は、実質的にＨＤＭＩ  ＣＥＣ機能が用いられる請求項１に記載の電子機器。
【請求項３】
前記識別情報は、前記外部機器の機器名または種類を含む請求項１または請求項２に記載の電子機器。
【請求項４】
前記外部機器が自機器に初めて接続されたかを検出する検出部を備える請求項１乃至請求項３のいずれかに記載の電子機器。
【請求項５】
前記外部機器が自機器に初めて接続された機器である場合は、前記外部機器の識別情報に予め関連付けられた映像または音声の初期値情報を前記設定記憶部に記憶処理する記憶処理部を備える請求項４に記載の電子機器。
【請求項６】
前記外部機器が自機器に初めて接続された機器ではない場合は、前記設定記憶部に記憶されている映像または音声の設定を自機器に適用する請求項４または請求項５に記載の電子機器。
【請求項７】
前記設定記憶部に記憶されている映像または音声の設定は変更可能に構成される請求項１乃至請求項６のいずれかに記載の電子機器。
【請求項８】
前記設定記憶部は自機器に構成される請求項１乃至請求項７のいずれかに記載の電子機器。
【請求項９】
前記電子機器は、前記接続された外部機器とＨＤＭＩケーブルを介して接続される請求項１乃至請求項８のいずれかに記載の電子機器。
【請求項１０】
接続された外部機器から出力された前記外部機器の識別情報を用い、予め記憶されている、過去に接続された外部機器の識別情報と比較し、前記接続された外部機器を特定するステップと、
前記特定された外部機器の映像または音声の設定情報を、過去に接続された外部機器の設定情報が記憶されている設定記憶部から取得し、自機器に適用するステップを備える電子機器の制御方法。
【請求項１１】
接続された外部機器から出力された前記外部機器の識別情報を用い、予め記憶されている、過去に接続された外部機器の識別情報と比較し、前記接続された外部機器を特定するステップと、
前記特定された外部機器の映像または音声の設定情報を、過去に接続された外部機器の設定情報が記憶されている設定記憶部から取得し、自機器に適用するステップを備え、電子機器を制御する電子機器の制御プログラム。
【発明の詳細な説明】
【技術分野】
【０００１】
本発明の実施形態は、電子機器、電子機器の制御方法、電子機器の制御プログラムに関する。
【背景技術】
【０００２】
近年、接続された外部機器から送信された映像コンテンツ等を電子機器で受信し、表示出力可能なシステムが用いられている。
【０００３】
これらのシステムには、映像コンテンツ送信元の外部機器から、例えば、アンプ等を介して送信された外部機器の設定情報を受信し、受信した設定情報に応じて電子機器の設定を適用することが可能なシステムが開示されている。
【０００４】
しかし、このシステムにおいては、アンプ等を介して、上記設定情報に応じた設定の制御を行なうため、ユーザが、逐次、設定情報の変更を設定し直す必要があった。
【０００５】
このため、ユーザ操作が煩雑であるという問題があった。
【先行技術文献】
【特許文献】
【０００６】
【特許文献１】特開２０１１−４９８１９号公報
【発明の概要】
【発明が解決しようとする課題】
【０００７】
接続された外部機器から送信された映像コンテンツ等を受信し、電子機器に表示出力可能なシステムにおいて、ユーザ操作の煩雑さを低減することが課題になっていた。
【課題を解決するための手段】
【０００８】
実施形態の電子機器は、接続された外部機器から出力された前記外部機器の識別情報を用い、予め記憶されている、過去に接続された外部機器の識別情報と比較し、前記接続された外部機器を特定する特定部を備える。
【０００９】
また、前記特定された外部機器の映像または音声の設定情報を、過去に接続された外部機器の設定情報が記憶されている設定記憶部から取得し、自機器に適用する適用部を備える。
【図面の簡単な説明】
【００１０】
【図１】実施形態に係わる電子機器を含むシステムを示す図。
【図２】実施形態に係わる電子機器の構成を示すブロック図。
【図３】実施形態に係わる電子機器の設定記憶部に記憶された、過去に電子機器（テレビ）１に接続された外部機器の識別情報を示す図。
【図４】実施形態に係わる電子機器を含むシステムの動作を説明するフローチャート。
【図５】他の実施形態に係わる電子機器を含むシステムを示す図。
【図６】他の実施形態に係わる電子機器を含むシステムを示す図。
【発明を実施するための形態】
【００１１】
以下、図面を参照し、実施の形態を説明する。
【００１２】
現在、テレビ等の電子機器においては、外部機器と接続される接続端子毎に映像・音声設定を記憶する機能を備えているものはあるが、通常、電子機器に接続される外部接続機器毎の設定は記憶されていない。
【００１３】
また、近年、ＡＶアンプ等が普及し、例えば、ＡＶアンプを通して、一つの端子に複数の外部機器を接続することが行なわれている。
【００１４】
しかし、一つの端子に接続される複数の外部機器は、例えば、プレーヤ（再生装置）やゲーム機、レコーダ等、それぞれ、一般に、最適な画質・音声設定が異なる機器である。
【００１５】
このため、良好な画質・音質でコンテンツを楽しもうとした場合、例えば、ユーザが都度設定の切換を行う必要があり、ユーザ操作が煩雑であった。
【００１６】
図１は、実施形態に係わる電子機器を含むシステムを示す図である。
【００１７】
この実施形態においては、接続された外部機器から出力された外部機器の識別情報を用い、予め記憶されている、過去に接続されたことがある外部機器の識別情報と比較し、接続された外部機器を特定する。
【００１８】
また、特定された外部機器の映像または音声の設定情報を、過去に接続されたことがある外部機器の設定情報が記憶されている設定記憶部から取得し、自機器に適用する。
【００１９】
ここでは、図１に示すように、電子機器（テレビ）１は、例えば、ゲーム機Ａ５０と、ＨＤＭＩケーブルを介し、接続されている。
【００２０】
ここで、ＨＤＭＩの説明をする。
【００２１】
ＨＤＭＩとはＨｉｇｈ−Ｄｅｆｉｎｉｔｉｏｎ  Ｍｕｌｔｉｍｅｄｉａ  Ｉｎｔｅｒｆａｃｅの略で、映像・音声をデジタル信号で伝送する通信インタフェースの標準規格である。
【００２２】
また、ＨＤＭＩコネクタには、例えば、以下の種類がある。
【００２３】
１．タイプＡ。標準タイプ。１９ピン。２．タイプＢ。２９ピンのコネクタ。１０８０ｐを超える解像度をサポート。３．タイプＣ。ミニＨＤＭＩ端子。タイプＡと比べてより小型である。例えば、ビデオカメラなどに採用されている。４．タイプＤ。マイクロＨＤＭＩ端子。携帯電話などに採用されている。５．タイプＥ。自動車用ＨＤＭＩ端子。車内部の映像用配線に使用される。
【００２４】
また、ＨＤＭＩケーブルには、例えば、以下の種類がある。
【００２５】
１．スタンダードＨＤＭＩケーブル。７２０ｐ、１０８０ｉの映像に対応。２．ハイスピードＨＤＭＩケーブル。１０８０ｐの映像や８ｂｉｔ超の色深度に対応。
【００２６】
また、例えば、ＨＤＭＩの物理層はＴＭＤＳ、信号の暗号化はＨＤＣＰ（Ｈｉｇｈ−ｂａｎｄｗｉｄｔｈ  Ｄｉｇｉｔａｌ  Ｃｏｎｔｅｎｔ  Ｐｒｏｔｅｃｔｉｏｎ）、機器間認証はＥＤＩＤ  （Ｅｘｔｅｎｄｅｄ  ｄｉｓｐｌａｙ  ｉｄｅｎｔｉｆｉｃａｔｉｏｎ  ｄａｔａ）、系全体の制御系接続はＣＥＣが採用されている。
【００２７】
ＣＥＣは、Ｃｏｎｓｕｍｅｒ  Ｅｌｅｃｔｒｏｎｉｃｓ  Ｃｏｎｔｒｏｌの略である。ＣＥＣは、ＨＤＭＩで規格化されている機器制御信号と制御プロトコルである。ＣＥＣは、欧州で普及しているＰ５０を参考に制定された。ＣＥＣはＰ５０の２倍の転送レートを有している。
【００２８】
ＣＥＣは、ＨＤＭＩ  Ｖｅｒ１．２によって追加された相互機器制御機能である。
【００２９】
ＣＥＣ機能（ＣＥＣ  ｆｕｎｃｔｉｏｎ）には複数の機能があり、いくつかの例を説明する。
【００３０】
例えば、ＣＥＣ機能のひとつに、「Ｏｎｅ  Ｔｏｕｃｈ  Ｐｌａｙ」機能がある。
【００３１】
「Ｏｎｅ  Ｔｏｕｃｈ  Ｐｌａｙ」機能は、ユーザが再生装置（ＤＶＤプレイヤやブルーレイプレイヤ等）を再生指示した際に、接続された電子機器（テレビ）は電源ＯＮし、再生指示したＨＤＭＩ機器が接続されたＨＤＭＩ入力端子へ、入力切り替えを行う機能である。
【００３２】
この機能では、再生装置（プレーヤ）を再生指示すると、自動的に、再生した再生装置（プレーヤ）の映像が表示される。
【００３３】
また、「Ｓｙｓｔｅｍ  Ｓｔａｎｄｂｙ」機能がある。
【００３４】
「Ｓｙｓｔｅｍ  Ｓｔａｎｄｂｙ」機能は、例えば、ユーザがテレビの電源をＯＦＦした場合に、接続された全ての装置の電源も同時にＯＦＦにされる。ここでは、接続された機器が、電源ＯＦＦ時に、［Ｓｔａｎｄｂｙ］コマンドを送信する。
【００３５】
また、「Ｐｒｅｓｅｔ  Ｄｏｗｎｌｏａｄ」機能がある。
【００３６】
「Ｐｒｅｓｅｔ  Ｄｏｗｎｌｏａｄ」機能は、チャンネルプリセットが完了しているテレビにレコーダを接続した場合に、テレビのチャンネルプリセット情報をレコーダが受信し、テレビと同じチャンネルプリセットを、レコーダにも自動的に設定する機能である。
【００３７】
また、「Ｏｎｅ  Ｔｏｕｃｈ  Ｒｅｃｏｒｄ」機能がある。
【００３８】
「Ｏｎｅ  Ｔｏｕｃｈ  Ｒｅｃｏｒｄ」機能は、ユーザが録画ボタンを押すと、現在テレビで視聴中の放送チャンネルがレコーダに録画される。通常、レコーダのチャンネルとテレビのチャンネルは異なっており、現在視聴中のチャンネル情報を、テレビからレコーダに送り、レコーダ側のチューナを選局して録画を開始する機能である。
【００３９】
また、ＣＥＣ機能には、例えば、「Ｄｅｖｉｃｅ  ＯＳＤ  Ｎａｍｅ  Ｔｒａｎｓｆｅｒ」機能等もある。
【００４０】
「Ｄｅｖｉｃｅ  ＯＳＤ  Ｎａｍｅ  Ｔｒａｎｓｆｅｒ」機能は、例えば、電子機器（テレビ）に接続された外部機器が、電子機器（テレビ）に対して、外部機器の機器名称等を送信し、電子機器（テレビ）はその外部機器の機器名称を受信し、例えば、メニュー表示などに使用することができる機能である。
【００４１】
この実施形態においては、外部機器（例えば、ゲーム機Ａ５０）から電子機器（テレビ）１に対して、外部機器（ゲーム機Ａ５０）の、例えば、「機器名称」および「種類」の情報を送信する。
【００４２】
また、この実施形態においては、例えば、この「機器名称」および「種類」の情報は、外部機器（ゲーム機Ａ５０）の識別情報として用いられる。
【００４３】
そして、電子機器（テレビ）１は、外部機器（ゲーム機Ａ５０）から送信された外部機器（ゲーム機Ａ５０）の識別情報（「機器名称」および「種類」の情報）を受信する。
【００４４】
そして、この実施形態においては、接続された外部機器（ゲーム機Ａ５０）から出力された外部機器（ゲーム機Ａ５０）の識別情報を用い、例えば、電子機器（テレビ）１内部に予め記憶されている、過去に接続されたことがある外部機器の識別情報（図３）と比較し、接続された外部機器（例えば、ゲーム機Ａ５０）を特定する。
【００４５】
また、特定された外部機器（例えば、ゲーム機Ａ５０）の映像または音声の設定情報を、過去に接続されたことがある外部機器の設定情報が記憶されている設定記憶部（例えば、図２、設定記憶部１６等）から取得し、自機器（電子機器（テレビ）１）に適用する。
【００４６】
図２は、実施形態に係わる電子機器の構成を示すブロック図である。
【００４７】
この実施形態においては、例えば、制御部１１はＣＰＵ（１２）を備えている。そして、ＣＰＵ（１２）は電子機器（テレビ）１を制御する。また、ＲＡＭ（１３）、ＲＯＭ（１４）、フラッシュメモリ１５は、例えば、制御部１１で行われる処理に利用される。
【００４８】
例えば、放送局２５からデジタル放送で映像コンテンツが放送される。放送局２５から放送されたデジタル放送はチューナ３で受信され、選局処理が行われ、デジタル信号の映像コンテンツが信号処理部４に送信される。
【００４９】
なお、この実施形態においては、特に図示しないが、複数の放送番組を同時に受信し、同時に録画することも可能である。
【００５０】
信号処理部４で受信されたデジタル信号の映像コンテンツは信号処理が施され、音声処理部６および映像処理部５に送信される。
【００５１】
音声処理部６は、信号処理が施された映像コンテンツを受信し、音声処理を施した信号をスピーカ９に送信する。
【００５２】
スピーカ９は、音声処理が施された信号を受信し、音声を出力する。
【００５３】
また、映像処理部５は、信号処理が施された映像コンテンツを受信し、映像処理を施した信号を表示装置７に送信する。
【００５４】
表示装置７は、映像処理が施された信号を受信し、ＬＣＤパネル等で構成される表示画面（映像表示部）８に映像を表示する。
【００５５】
また、この実施の形態においては、電子機器（テレビ）１は、ＨＤＭＩ端子１７を備えている。このＨＤＭＩ端子１７は、例えば、ＨＤＭＩケーブルを介し、外部機器（ゲーム機Ａ）５０と接続される。
【００５６】
そして、外部機器（例えば、ゲーム機Ａ５０）から電子機器（テレビ）１に対して、外部機器（ゲーム機Ａ５０）の、例えば、「機器名称」および「種類」の情報が送信される。
【００５７】
上記のように、この実施形態においては、例えば、この「機器名称」および「種類」の情報は、外部機器（ゲーム機Ａ５０）の識別情報として用いられる。
【００５８】
また、フラッシュメモリ１５は、設定記憶部１６を備えている。
【００５９】
この実施形態においては、この設定記憶部１６には、過去に接続されたことがある外部機器の設定情報が記憶されている
そして、上記特定された外部機器（例えば、ゲーム機Ａ５０）の映像または音声の設定情報を、過去に電子機器（テレビ）１に接続された外部機器の設定情報が記憶されている設定記憶部１６から取得し、自機器（電子機器（テレビ）１）に適用する。
【００６０】
また、電子機器（テレビ）１に対するユーザの操作は、例えばリモコン（リモートコントローラ）２１等の操作機器によって指示される。
【００６１】
これらの処理は、上記のように、制御部１１に制御される。
【００６２】
また、電子機器（テレビ）１は、送受信部（ネットワークインターフェース）２２、ネットワーク（インターネット）２６を介してサーバ２７に接続され、所定の情報を、このネットワーク（インターネット）２６を介して取得することが可能である。
【００６３】
図３は、実施形態に係わる電子機器の設定記憶部に記憶された、過去に電子機器（テレビ）１に接続された外部機器の識別情報を示す図である。
【００６４】
これらの情報は、例えば、フラッシュメモリ１５や、設定記憶部１６等の記憶装置に記憶される。
【００６５】
ここでは、図３に示すように、過去に電子機器（テレビ）１に接続された外部機器の識別情報が記憶されている。
【００６６】
例えば、「外部機器Ｎｏ．」００１の識別情報、すなわち、「機器名称」と種類は、それぞれ、レコーダ○○、レコーダと記憶されている。
【００６７】
また、「外部機器Ｎｏ．」００２の識別情報、すなわち、「機器名称」と種類は、それぞれ、ＤＶＤプレーヤ○×、ＤＶＤプレーヤと記憶されている。
【００６８】
また、「外部機器Ｎｏ．」００３の識別情報、すなわち、「機器名称」と種類は、それぞれ、ゲーム機Ａ○○、ゲーム機と記憶されている。
【００６９】
また、「外部機器Ｎｏ．」００４の識別情報、すなわち、「機器名称」と種類は、それぞれ、ゲーム機Ｂ××、ゲーム機と記憶されている。
【００７０】
図４は、実施形態に係わる電子機器を含むシステムの動作を説明するフローチャートである。
【００７１】
ステップＳ１００は、ここでの開始ステップである。続いて、ステップＳ１０１に進む。
【００７２】
ステップＳ１０１は、電子機器（テレビ）１と外部機器（ゲーム機Ａ）５０が、例えば、ＨＤＭＩケーブル５１を介して接続されるステップである。続いて、ステップＳ１０２に進む。
【００７３】
ステップＳ１０２は、外部機器（ゲーム機Ａ）５０から電子機器（テレビ）１に、例えば、ＨＤＭＩ  ＣＥＣ機能（例えば、「Ｄｅｖｉｃｅ  ＯＳＤ  Ｎａｍｅ  Ｔｒａｎｓｆｅｒ」機能等）で、識別情報（機器名（「ゲーム機Ａ」）と種類（「ゲーム機」））が送信され、電子機器（テレビ）１で受信されるステップである。続いて、ステップＳ１０３に進む。
【００７４】
ステップＳ１０３は、電子機器（テレビ）１は、受信した外部機器（ゲーム機Ａ）５０の識別情報を、例えば、フラッシュメモリ１５に記憶するステップである。続いて、ステップＳ１０４に進む。
【００７５】
ステップＳ１０４は、受信した識別情報を用い、フラッシュメモリ１５に記憶されている、過去に電子機器（テレビ）１に接続された外部機器の識別情報と比較し、外部機器を特定するステップである。
【００７６】
受信した識別情報が、フラッシュメモリ１５に記憶されている外部機器の識別情報と一致する場合は、この外部機器は、接続された外部機器がその識別情報が一致した外部機器であると特定される。続いて、ステップＳ１０５に進む。
【００７７】
ステップＳ１０５は、上記電子機器（テレビ）１に接続された外部機器（ゲーム機Ａ）５０が、電子機器（テレビ）１に初めて接続された外部機器であるかを検出するステップである。受信した識別情報が、フラッシュメモリ１５に記憶されている外部機器の識別情報と一致しない場合は、この外部機器は、電子機器（テレビ）１に初めて接続された外部機器であると特定される。続いて、ステップＳ１０６に進む。
【００７８】
ステップＳ１０６は、受信した識別情報に予め関連付けられた、映像・音声等の初期設定値情報（デフォルト）を、上記電子機器（テレビ）１に初めて接続された外部機器であると特定された外部機器に関連付けて、フラッシュメモリ１５の設定記憶部１６に記憶するステップである。続いて、ステップＳ１０７に進む。
【００７９】
ステップＳ１０７は、上記特定された外部機器の映像・音声等の設定情報を、例えば、設定記憶部１６から取得するステップである。続いて、ステップＳ１０８に進む。
【００８０】
ステップＳ１０８は、電子機器（テレビ）１に、上記特定された外部機器に設定されている映像・音声等の設定を適用するステップである。続いて、ステップＳ１０９に進む。
【００８１】
ステップＳ１０９は、ユーザ操作等で、映像・音声の設定が変更されたかを検出するステップである。映像・音声の設定が変更されたと検出される場合は、ステップＳ１０８に進む（Ｙｅｓ）。映像・音声の設定が変更されたと検出されない場合は、ここでの処理を繰り返す（Ｎｏ）。
【００８２】
すなわち、この実施形態においては、例えば、ＨＤＭＩ  ＣＥＣ機能を利用し、電子機器（テレビ）１は、接続された外部機器の識別情報（機器名称、種類等）を取得する。
【００８３】
そして、取得した外部機器の識別情報（機器名称、種類等）の組み合わせにより、外部接続機器を判断し、画質・音声設定の情報が記憶された記憶領域（例えば、設定記憶部１６）と外部機器とを関連付ける。
【００８４】
外部機器が、電子機器（テレビ）１に初めて接続されたと検出される場合は、記憶領域（例えば、設定記憶部１６）に、新たに画質・音声設定を記憶し、初期値を設定する。
【００８５】
また、過去に、電子機器（テレビ）１に接続された外部機器の場合は、記憶領域（例えば、設定記憶部１６）に記憶された設定を読み出し、映像・音声の設定を電子機器（テレビ）１へ反映させる。
【００８６】
また、例えば、ユーザ操作等により、映像・音声等の設定に変更があった場合には、この変更された設定内容を記憶領域（例えば、設定記憶部１６）に記憶する。
【００８７】
このように、この実施形態においては、例えば、設定記憶部１６に、外部接続機器の設定情報を記憶するようにしている。
【００８８】
これにより、ユーザは、特に外部接続機器の切り替え等を気にせず、電子機器（テレビ）１に、良好な画質・音声設定を適用することが可能になる。
【００８９】
これにより、ユーザの煩雑さを低減することが可能になる。
【００９０】
また、例えば、電子機器（テレビ）１の内部に、過去に、電子機器（テレビ）１に接続された外部機器の情報を、記憶するようにしている。
【００９１】
これにより、例えば、ＡＶアンプの交換や繋ぎ換え等により、接続端子が変更された場合も、ユーザは、これを意識することなく、電子機器（テレビ）１に、ユーザ所望の画質・音質を設定することが可能になる。
【００９２】
図５は、他の実施形態に係わる電子機器を含むシステムを示す図である。
【００９３】
この実施形態においては、図５に示すように、電子機器（テレビ）１に、ＨＤＭＩ端子を介して、複数の外部機器が、それぞれ接続されている。
【００９４】
ここでは、電子機器（テレビ）１に、ＨＤＭＩケーブル３１を介してレコーダ３０が、ＨＤＭＩケーブル４１を介してＤＶＤプレーヤ４０が、ＨＤＭＩケーブル５１を介してゲーム機Ａ５０が、ＨＤＭＩケーブル６１を介してゲーム機Ｂ６０が、それぞれ接続されている。
【００９５】
そして、電子機器（テレビ）１は、接続された外部機器（レコーダ３０）から出力された外部機器の識別情報を用い、予め、例えば、フラッシュメモリ１５に記憶されている、過去に接続されたことがある外部機器の識別情報（例えば、図３）と比較し、接続された外部機器（レコーダ３０）を特定する。
【００９６】
そして、特定された外部機器（レコーダ３０）の映像または音声の設定情報を、過去に接続されたことがある外部機器の設定情報が記憶されている設定記憶部（例えば、フラッシュメモリ１５の設定記憶部１６）から取得し、電子機器（テレビ）１に適用する。
【００９７】
同様に、電子機器（テレビ）１は、接続された外部機器（ＤＶＤプレーヤ４０）から出力された外部機器の識別情報を用い、予め、例えば、フラッシュメモリ１５に記憶されている、過去に接続されたことがある外部機器の識別情報（例えば、図３）と比較し、接続された外部機器（ＤＶＤプレーヤ４０）を特定する。
【００９８】
そして、特定された外部機器（ＤＶＤプレーヤ４０）の映像または音声の設定情報を、過去に接続されたことがある外部機器の設定情報が記憶されている設定記憶部（例えば、フラッシュメモリ１５の設定記憶部１６）から取得し、電子機器（テレビ）１に適用する。
【００９９】
また同様に、電子機器（テレビ）１は、接続された外部機器（ゲーム機Ａ５０）から出力された外部機器の識別情報を用い、予め、例えば、フラッシュメモリ１５に記憶されている、過去に接続されたことがある外部機器の識別情報（例えば、図３）と比較し、接続された外部機器（ゲーム機Ａ５０）を特定する。
【０１００】
そして、特定された外部機器（ゲーム機Ａ５０）の映像または音声の設定情報を、過去に接続されたことがある外部機器の設定情報が記憶されている設定記憶部（例えば、フラッシュメモリ１５の設定記憶部１６）から取得し、電子機器（テレビ）１に適用する。
【０１０１】
また同様に、電子機器（テレビ）１は、接続された外部機器（ゲーム機Ｂ６０）から出力された外部機器の識別情報を用い、予め、例えば、フラッシュメモリ１５に記憶されている、過去に接続されたことがある外部機器の識別情報（例えば、図３）と比較し、接続された外部機器（ゲーム機Ｂ６０）を特定する。
【０１０２】
そして、特定された外部機器（ゲーム機Ｂ６０）の映像または音声の設定情報を、過去に接続されたことがある外部機器の設定情報が記憶されている設定記憶部（例えば、フラッシュメモリ１５の設定記憶部１６）から取得し、電子機器（テレビ）１に適用する。
【０１０３】
上記のように、この実施形態においては、例えば、設定記憶部１６に、外部接続機器の設定情報を記憶するようにしている。
【０１０４】
これにより、ユーザは、特に外部接続機器の切り替え等を気にせず、電子機器（テレビ）１に、良好な画質・音声設定を適用することが可能になる。
【０１０５】
これにより、ユーザの煩雑さを低減することが可能になる。
【０１０６】
また、例えば、電子機器（テレビ）１の内部に、過去に、電子機器（テレビ）１に接続された外部機器の情報を、記憶するようにしている。
【０１０７】
これにより、例えば、ＡＶアンプの交換や繋ぎ換え等により、接続端子が変更された場合も、ユーザは、これを意識することなく、電子機器（テレビ）１に、ユーザ所望の画質・音質を設定することが可能になる。
【０１０８】
図６は、他の実施形態に係わる電子機器を含むシステムを示す図である。
【０１０９】
この実施形態においては、図６に示すように、電子機器（テレビ）１に、ＨＤＭＩ端子１０１を介したＡＶアンプ１００に接続されたＨＤＭＩ端子を介して、複数の外部機器が、それぞれ接続されている。
【０１１０】
ここでは、電子機器（テレビ）１に、ＨＤＭＩ端子１０１を介したＡＶアンプ１００に接続されたＨＤＭＩケーブル３１を介してレコーダ３０が、ＨＤＭＩケーブル４１を介してＤＶＤプレーヤ４０が、ＨＤＭＩケーブル５１を介してゲーム機Ａ５０が、ＨＤＭＩケーブル６１を介してゲーム機Ｂ６０が、それぞれ接続されている。
【０１１１】
すなわち、ここでは、複数の外部機器は、ＨＤＭＩ端子１０１を介したＡＶアンプ１００を介して、電子機器（テレビ）１に接続される点が、図５の例に比べ、異なっているがその他は同様の構成である。
【０１１２】
そして、電子機器（テレビ）１は、接続された外部機器（レコーダ３０）から出力された外部機器の識別情報を用い、予め、例えば、フラッシュメモリ１５に記憶されている、過去に接続されたことがある外部機器の識別情報（例えば、図３）と比較し、接続された外部機器（レコーダ３０）を特定する。
【０１１３】
そして、特定された外部機器（レコーダ３０）の映像または音声の設定情報を、過去に接続されたことがある外部機器の設定情報が記憶されている設定記憶部（例えば、フラッシュメモリ１５の設定記憶部１６）から取得し、電子機器（テレビ）１に適用する。
【０１１４】
同様に、電子機器（テレビ）１は、接続された外部機器（ＤＶＤプレーヤ４０）から出力された外部機器の識別情報を用い、予め、例えば、フラッシュメモリ１５に記憶されている、過去に接続されたことがある外部機器の識別情報（例えば、図３）と比較し、接続された外部機器（ＤＶＤプレーヤ４０）を特定する。
【０１１５】
そして、特定された外部機器（ＤＶＤプレーヤ４０）の映像または音声の設定情報を、過去に接続されたことがある外部機器の設定情報が記憶されている設定記憶部（例えば、フラッシュメモリ１５の設定記憶部１６）から取得し、電子機器（テレビ）１に適用する。
【０１１６】
また同様に、電子機器（テレビ）１は、接続された外部機器（ゲーム機Ａ５０）から出力された外部機器の識別情報を用い、予め、例えば、フラッシュメモリ１５に記憶されている、過去に接続されたことがある外部機器の識別情報（例えば、図３）と比較し、接続された外部機器（ゲーム機Ａ５０）を特定する。
【０１１７】
そして、特定された外部機器（ゲーム機Ａ５０）の映像または音声の設定情報を、過去に接続されたことがある外部機器の設定情報が記憶されている設定記憶部（例えば、フラッシュメモリ１５の設定記憶部１６）から取得し、電子機器（テレビ）１に適用する。
【０１１８】
また同様に、電子機器（テレビ）１は、接続された外部機器（ゲーム機Ｂ６０）から出力された外部機器の識別情報を用い、予め、例えば、フラッシュメモリ１５に記憶されている、過去に接続されたことがある外部機器の識別情報（例えば、図３）と比較し、接続された外部機器（ゲーム機Ｂ６０）を特定する。
【０１１９】
そして、特定された外部機器（ゲーム機Ｂ６０）の映像または音声の設定情報を、過去に接続されたことがある外部機器の設定情報が記憶されている設定記憶部（例えば、フラッシュメモリ１５の設定記憶部１６）から取得し、電子機器（テレビ）１に適用する。
【０１２０】
上記のように、この実施形態においては、例えば、設定記憶部１６に、外部接続機器の設定情報を記憶するようにしている。
【０１２１】
これにより、ユーザは、特に外部接続機器の切り替え等を気にせず、電子機器（テレビ）１に、良好な画質・音声設定を適用することが可能になる。
【０１２２】
これにより、ユーザの煩雑さを低減することが可能になる。
【０１２３】
また、例えば、電子機器（テレビ）１の内部に、過去に、電子機器（テレビ）１に接続された外部機器の情報を、記憶するようにしている。
【０１２４】
これにより、例えば、ＡＶアンプの交換や繋ぎ換え等により、接続端子が変更された場合も、ユーザは、これを意識することなく、電子機器（テレビ）１に、ユーザ所望の画質・音質を設定することが可能になる。
【０１２５】
すなわち、この実施形態に係る電子機器（テレビ）１は、接続された外部機器から出力された外部機器の識別情報を用い、予め記憶されている、過去に接続されたことがある外部機器の識別情報（例えば、図３）と比較し、接続された外部機器を特定する。
【０１２６】
また、特定された外部機器の映像または音声の設定情報を、過去に接続されたことがある外部機器の設定情報が記憶されている設定記憶部（例えば、設定記憶部１６等）から取得し、自機器（電子機器（テレビ）１）に適用する。
【０１２７】
また、識別情報の出力は、実質的にＨＤＭＩ  ＣＥＣ機能が用いられる。
【０１２８】
また、識別情報は、外部機器の機器名または種類を含む。
【０１２９】
また、外部機器が自機器（電子機器（テレビ）１）に初めて接続されたかを検出する。
【０１３０】
また、外部機器が自機器（電子機器（テレビ）１）に初めて接続された機器である場合は、外部機器の識別情報に予め関連付けられた映像または音声の初期値情報を設定記憶部（設定記憶部１６）に記憶処理する。
【０１３１】
また、外部機器が自機器（電子機器（テレビ）１）に初めて接続された機器ではない場合は、設定記憶部（設定記憶部１６）に記憶されている映像または音声の設定を自機器（電子機器（テレビ）１）に適用する。
【０１３２】
また、設定記憶部（設定記憶部１６）に記憶されている映像または音声の設定は変更可能に構成される。
【０１３３】
また、設定記憶部（設定記憶部１６）は、自機器（電子機器（テレビ）１）に構成されるようにしても良い。
【０１３４】
また、電子機器（テレビ）１は、接続された外部機器とＨＤＭＩケーブルを介して接続されるようにしても良い。
【０１３５】
上記のように構成することによって、この実施形態においては、接続された外部機器から送信された映像コンテンツ等を受信し、電子機器に表示出力可能なシステムにおいて、ユーザ操作の煩雑さを低減することが可能になる。
【０１３６】
なお、上記実施形態の制御処理の手順は全てソフトウェアによって実行することが可能である。このため、制御処理の手順を実行するプログラムを格納したコンピュータ読み取り可能な記憶媒体を通じてこのプログラムを通常のコンピュータにインストールして実行するだけで、上記実施形態と同様の効果を容易に実現することができる。
【０１３７】
なお、上記実施形態は、記述そのものに限定されるものではなく、実施段階では、その趣旨を逸脱しない範囲で、構成要素を種々変形して具体化することが可能である。
【０１３８】
また、上記実施形態に開示されている複数の構成要素の適宜な組み合せにより種々の発明を形成できる。
【０１３９】
例えば、実施形態に示される全構成要素から幾つかの構成要素を削除してもよい。更に、異なる実施形態に亘る構成要素を適宜組み合せてもよい。
【符号の説明】
【０１４０】
１…電子機器（テレビ）、１１…制御部、１５…フラッシュメモリ、１６…設定記憶部、１７…ＨＤＭＩ端子、５０…ゲーム機Ａ、５１…ＨＤＭＩケーブル。
【図１】
2014007615.tif 000003
【図２】
2014007615.tif 000004
【図３】
2014007615.tif 000005
【図４】
2014007615.tif 000006
【図５】
2014007615.tif 000007
【図６】
2014007615.tif 000008